(57)【要約】【課題】絞り羽根の作動音が外部に漏れることがないレンズ鏡筒およびカメラを提供する。【解決手段】本発明に係わるレンズ鏡筒（１０）は、所望の絞り値に応じて絞り羽根（２３）を駆動することにより被写体光の通過領域を形成する絞りユニット（２２）と、前記被写体光の光軸に沿って前記絞りユニットの前後に配置された第１および第２レンズ（Ｌ２、Ｌ３）と、前記絞りユニットと前記第１および第２レンズとが収納される筒体（２０、２１）と、前記絞りユニットにおいて絞り羽根を駆動した際に発生する音が外部へ伝達される領域に設置された吸音部材（３１〜３６）とを備えることを特徴とする。【選択図】図２
2010049133.tif 000002
【特許請求の範囲】
【請求項１】
所望の絞り値に応じて絞り羽根を駆動することにより被写体光の通過領域を形成する絞りユニットと、
前記被写体光の光軸に沿って前記絞りユニットの直前及び直後に配置された第１および第２レンズと、
前記絞りユニットと前記第１および第２レンズとが収納される筒体と、
前記絞りユニットにおいて絞り羽根を駆動した際に発生する音が外部へ伝達される領域に設置された吸音部材と、
を備えることを特徴とするレンズ鏡筒。
【請求項２】
請求項１に記載のレンズ鏡筒であって、
前記筒体と、前記絞りユニットを間に挟んで前記第１および第２レンズの対向するレンズ面とにより形成される空間が密閉されていることを特徴とするレンズ鏡筒。
【請求項３】
請求項２に記載のレンズ鏡筒であって、
前記筒体と、前記絞りユニットを間に挟んで前記第１および第２レンズの対向するレンズ面とにより形成される空間が真空状態であることを特徴とするレンズ鏡筒。
【請求項４】
請求項２に記載のレンズ鏡筒であって、
前記筒体と、前記絞りユニットを間に挟んで前記第１および第２レンズの対向するレンズ面とにより形成される空間に透明な液体が充填されていることを特徴とするレンズ鏡筒。
【請求項５】
請求項１に記載のレンズ鏡筒であって、
前記筒体は、前記第１レンズが収納される第１筒体と、前記第２レンズが収納される第２筒体とを備え、
前記絞りユニットは前記第１筒体と第２筒体との間に保持され、
前記第１および第２筒体と、前記絞りユニットを間に挟んで前記第１および第２レンズの対向するレンズ面とにより形成される空間が前記吸音部材により密閉されていることを特徴とするレンズ鏡筒。
【請求項６】
請求項５に記載のレンズ鏡筒であって、
前記吸音部材は、前記第１および第２筒体と、前記絞りユニットを間に挟んで前記第１およびレンズの対向するレンズ面とにより形成される空間に含まれる空気が膨張した際に外側に膨らむ蛇腹構造を備えることを特徴とするレンズ鏡筒。
【請求項７】
請求項１〜３、５、６のいずれか１項に記載のレンズ鏡筒であって、
前記絞りユニットは、絞り羽根を駆動するモータを含み、
前記モータと前記筒体との間に前記モータの作動音を吸音するための吸音部材が設置されていることを特徴とするレンズ鏡筒。
【請求項８】
請求項１〜７のいずれか１項に記載のレンズ鏡筒であって、
前記吸音部材として、吸音特性の異なる複数の吸音部材を備え、設置される領域に応じて吸音特性の異なる吸音部材が用いられていることを特徴とするレンズ鏡筒。
【請求項９】
請求項１から請求項８までのいずれか１項に記載のレンズ鏡筒と、
前記レンズ鏡筒に備えられた前記第１および第２のレンズを通過した被写体光が露光される撮像部と、
を備えることを特徴とするカメラ。
【発明の詳細な説明】
【技術分野】
【０００１】
本発明は、レンズ鏡筒およびカメラに関するものである。
【背景技術】
【０００２】
従来の絞り羽根を備えたレンズ鏡筒では、絞り羽根の作動時にその作動音が発生していた。このため、動画撮影モードにおいては、撮影時に絞り羽根の作動音が雑音として録音されてしまうことがあった。撮影レンズから発生する音の影響を低減させる従来技術として、撮影レンズ構体を遮音性を有する軟性樹脂で覆ったものが提案されている（例えば、特許文献１参照）。
【特許文献１】特開平５−２８８９７３号公報
【発明の開示】
【発明が解決しようとする課題】
【０００３】
しかしながら、従来の技術では、レンズ鏡筒全体に遮音部材を配置するものであるため不経済であった。
【０００４】
本発明の課題は、効率的で且つ経済的な構成で、絞り羽根の作動音が外部に漏れることがないレンズ鏡筒およびカメラを提供することにある。
【課題を解決するための手段】
【０００５】
本発明は、以下のような解決手段により前記課題を解決する。なお、理解を容易にするために、本発明の実施形態に対応する符号を付して説明するが、これに限定されるものではない。
請求項１に記載の発明は、所望の絞り値に応じて絞り羽根（２３）を駆動することにより被写体光の通過領域を形成する絞りユニット（２２）と、前記被写体光の光軸に沿って前記絞りユニットの直前及び直後に配置された第１および第２レンズ（Ｌ２、Ｌ３）と、前記絞りユニットと前記第１および第２レンズとが収納される筒体（２０、２１）と、前記絞りユニットにおいて絞り羽根を駆動した際に発生する音が外部へ伝達される領域に設置された吸音部材（３１〜３６）とを備えることを特徴とするレンズ鏡筒（１０）である。
請求項２に記載の発明は、請求項１に記載のレンズ鏡筒（１０）であって、前記筒体（２０、２１）と、前記絞りユニット（２２）を間に挟んで前記第１および第２レンズ（Ｌ２、Ｌ３）の対向するレンズ面とにより形成される空間（Ｓ１）が密閉されていることを特徴とする。
請求項３に記載の発明は、請求項２に記載のレンズ鏡筒（１０）であって、前記筒体（２０、２１）と、前記絞りユニット（２２）を間に挟んで前記第１および第２レンズ（Ｌ２、Ｌ３）の対向するレンズ面とにより形成される空間（Ｓ１）が真空状態であることを特徴とする。
請求項４に記載の発明は、請求項２に記載のレンズ鏡筒（１０）であって、前記筒体（２０、２１）と、前記絞りユニット（２２）を間に挟んで前記第１および第２レンズ（Ｌ２、Ｌ３）の対向するレンズ面とにより形成される空間（Ｓ１）に透明な液体が充填されていることを特徴とする。
請求項５に記載の発明は、請求項１に記載のレンズ鏡筒（１０）であって、前記筒体は、前記第１レンズ（Ｌ２）が収納される第１筒体（４０）と、前記第２レンズ（Ｌ３）が収納される第２筒体（４１）とを備え、前記絞りユニット（２２）は前記第１筒体と第２筒体との間に保持され、前記第１および第２筒体と、前記絞りユニットを間に挟んで前記第１および第２レンズの対向するレンズ面とにより形成される空間（Ｓ２）が前記吸音部材（３４）により密閉されていることを特徴とする。
請求項６に記載の発明は、請求項５に記載のレンズ鏡筒（１０）であって、前記吸音部材（３６）は、前記第１および第２筒体（４０、４１）と、前記絞りユニット（２２）を間に挟んで前記第１およびレンズ（Ｌ２、Ｌ３）の対向するレンズ面とにより形成される空間（Ｓ２）に含まれる空気が膨張した際に外側に膨らむ蛇腹構造を備えることを特徴とする。
請求項７に記載の発明は、請求項１〜３、５、６のいずれか１項に記載のレンズ鏡筒（１０）であって、前記絞りユニット（２２）は、絞り羽根（２３）を駆動するモータ（２４）を含み、前記モータと前記筒体（２１、４１）との間に前記モータの作動音を吸音するための吸音部材（３５）が設置されていることを特徴とする。
請求項８に記載の発明は、請求項１〜７のいずれか１項に記載のレンズ鏡筒（１０）であって、前記吸音部材として、吸音特性の異なる複数の吸音部材（３１〜３６）を備え、設置される領域に応じて吸音特性の異なる吸音部材が用いられていることを特徴とする。
請求項９に記載の発明は、請求項１から請求項８までのいずれか１項に記載のレンズ鏡筒（１０）と、前記レンズ鏡筒に備えられた前記第１および第２のレンズ（Ｌ２、Ｌ３）を通過した被写体光が露光される撮像部（２）とを備えることを特徴とするカメラ（１）である。
なお、符号を付して説明した構成は、適宜改良してもよく、また、少なくとも一部を他の構成物に代替してもよい。
【発明の効果】
【０００６】
本発明によれば、絞り羽根の作動音が外部に漏れることがないレンズ鏡筒、カメラを提供することができる。
【発明を実施するための最良の形態】
【０００７】
以下、図面を参照して、本発明に係わるレンズ鏡筒およびカメラの実施形態について説明する。なお、以下に示す各図には、説明と理解とを容易にするために、ＸＹＺの直交座標系を設けた。この座標系では、撮影者が光軸Ａを水平として横長の画像を撮影する場合のカメラ位置（以下、正位置という）において撮影者から見て左側に向かう方向をＸプラス方向とする。また、正位置において上側に向かう方向をＹプラス方向とする。さらに、正位置において被写体に向かう方向をＺ方向とする。
［実施形態１］
【０００８】
図１は、実施形態１のレンズ鏡筒を含むカメラシステムの概観斜視図である。
図２は、図１に示すレンズ鏡筒のワイド状態での断面図である。
図３は、図１に示すレンズ鏡筒のテレ状態での断面図である。
図４は、図１に示すレンズ鏡筒の部分断面図である。
【０００９】
本実施形態のカメラ１は、図１に示すように、カメラ本体２に対してレンズ鏡筒１０が着脱自在に装着される撮像装置である。カメラ本体２は、レンズ鏡筒１０に備えられたレンズ群を通過した被写体光が露光される図示しない撮像部を有する。カメラ１は、この撮像部の構造により異なる記録形式のカメラとなる。本発明はどのような記録形式のカメラにも適用することができる。例えば、ＣＣＤ等のイメージセンサを備えたデジタルカメラでもよいし、銀塩フィルムに対して被写体光を露光する機構を備えたフィルムカメラであってもよい。
【００１０】
レンズ鏡筒１０は、後述する複数のレンズ群を備えるズームレンズであり、光軸Ａ方向の撮影者側の端部に設けられた図示しないレンズマウントが、カメラ本体２の正面部（撮影時に被写体に対向する面部）に設けられた図示しないカメラマウントと機械的に接合されている。なお、本実施形態では、レンズ鏡筒１０が円筒状に形成された例を示しているが、筒体として後述する密閉構造が実現可能な形状であれば、どのような形状であってもよい。例えば、三角柱、四角柱のような多角形の角柱、楕円柱、或いは複数の異なる形状を組み合わせたものであってもよい。
【００１１】
次に、レンズ鏡筒１０の内部構成を図２および図３を用いて説明する。レンズ鏡筒１０は、大別すると、第１レンズ群Ｌ１、第２レンズ群Ｌ２、第３レンズ群Ｌ３、絞りユニット２２、後述する筒体の各部、および最外部に配置される外観カバー２６により構成されている。
【００１２】
第１レンズ群Ｌ１、第２レンズ群Ｌ２、第３レンズ群Ｌ３は、３群構成のズームレンズを構成する光学部材であって、光軸Ａ方向に沿って被写体側から順次配列されている。なお、図１（および図２）では、第２レンズ群Ｌ２以外の具体的なレンズ構成の図示を省略する。
【００１３】
第１レンズ群筒１１は、第１レンズ群Ｌ１を保持する筒体であり、第１レンズ群移動筒１２の外径側に配置されている。この第１レンズ群筒１１の内周面にはヘリコイドネジ１３が形成されている。
【００１４】
第１レンズ群移動筒１２は、第１レンズ群筒１１を光軸Ａ方向に沿って移動させるための筒体である。この第１レンズ群移動筒１２の外周面にはヘリコイドネジ１４が形成され、第１レンズ群筒１１のヘリコイドネジ１３と螺合している。また、第１レンズ群移動筒１２の内周部には、後述するカム筒１５に形成されたカム溝１６ｂを貫通して、固定筒１７に形成された直進溝１８ｂと係合する突起部３０が設けられている。第１レンズ群移動筒１２の内径側には、カム筒１５、固定筒１７が順に配置されている。
【００１５】
第１レンズ群筒１１は、例えば、撮影者による手動操作に応じて、又は図示しないアクチュエータによって光軸Ａ周りに回転する。このとき、ヘリコイドネジ１３、１４が相対的に反対方向に回転する動作と連動して、第１レンズ群筒１１は光軸Ａ方向に進退動作することになる。第１レンズ群Ｌ１は、フォーカスレンズとして機能するものであり、第１レンズ群筒１１が光軸Ａ方向に進退動作することによって、ピント合わせが行われる。
【００１６】
カム筒１５は、第１レンズ群移動筒１２の内径側に設けられた筒体であって、周面に第２レンズ群筒２０および第３レンズ群筒２１を駆動するカム溝１６ａと、第１レンズ群移動筒１２を駆動するカム溝１６ｂとが形成されている。カム溝１６ａ、１６ｂは、カム筒１５の周方向に沿って、例えば斜め方向に形成されている。また、カム筒１５は、図示しない回転式のズームリング（又は図示しない駆動装置）と係合しており、ズームリングの回転と連動して光軸Ａ回りに回転駆動される。この回転駆動によって、カム溝１６ａ、１６ｂの側面が固定筒１７に対して相対的に変位することになる。
【００１７】
固定筒１７は、カム筒１５の内径側に設けられた筒体であって、レンズマウント２５にネジ止め等により取り付けられている。この固定筒１７は、レンズ鏡筒１０がカメラ本体２に装着された状態において、カメラ本体２に対する光軸Ａ方向への移動が制限された部材である。また、固定筒１７には、後述する第３レンズ群筒２１に設けられた突起部１９を光軸Ａ方向に沿って案内する直進溝１８ａと、前述の第１レンズ群移動筒１２に設けられた突起部３０を光軸Ａ方向に沿って案内する直進溝１８ｂとがそれぞれ形成されている。
【００１８】
第３レンズ群筒２１は、固定筒１７の内径側に挿入された筒体であって、光軸Ａ方向の被写体側の端部に第２レンズ群筒２０が取り付けられている。そして、第２レンズ群筒２０と第３レンズ群筒２１により形成される内部空間には、絞りユニット２２、および絞りユニット駆動用モータ２４が配置されている。上記内部空間の構成については後述する。
また、第３レンズ群筒２１の外周部には、固定筒１７の直進溝１８ａを貫通して、カム筒１５のカム溝１６ａと係合する突起部１９が設けられている。
【００１９】
上記構成において、撮影者による図示しないズームリングの回転操作、又は図示しない駆動装置による回転駆動がなされると、これと連動してカム筒１５が光軸Ａ回りに回転駆動される。すると、第３レンズ群筒２１の突起部１９は、係合しているカム溝１６ａの側面に押圧され、光軸Ａ方向に沿って移動することになる。このとき、突起部１９は固定筒１７の直進溝１８ａを貫通しているため、第２レンズ群筒２０および第３レンズ群筒２１は回転することなく、光軸Ａ方向に沿って直進移動することになる。また同時に、第１レンズ群移動筒１２の突起部３０は、貫通しているカム溝１６ｂの側面に押圧され、光軸Ａ方向に沿って移動することになる。このとき、突起部３０は固定筒１７の直進溝１８ｂと係合しているため、第１レンズ群移動筒１２は回転することなく、第３レンズ群筒２１と同じく光軸Ａ方向に沿って直進移動することになる。このように、ズームリングを回転操作することによって、第２レンズ群筒２０および第３レンズ群筒２１と、第１レンズ群移動筒１２とがそれぞれ光軸Ａ方向に沿って移動することになる。
【００２０】
上記ズームリング等の回転操作によって、図２に示すように、第２レンズ群筒２０および第３レンズ群筒２１と第１レンズ群移動筒１２とが光軸Ａ方向の撮影者側に移動すると、レンズ鏡筒１０はワイド状態となる。また、図３に示すように、第２レンズ群筒２０および第３レンズ群筒２１と第１レンズ群移動筒１２とが光軸Ａ方向の被写体側に移動すると、レンズ鏡筒１０はテレ状態となる。なお、図２および図３では、第１レンズ群移動筒１２の移動を省略して同一位置で図示している。
【００２１】
次に、第２レンズ群筒２０および第３レンズ群筒２１の内部構造について説明する。図４は、第２レンズ群筒２０および第３レンズ群筒２１の断面図である。
【００２２】
図４に示すように、第２レンズ群筒２０の光軸Ａ方向の撮影者側の外周面には雄ネジ部２８が形成され、第３レンズ群筒２１の光軸Ａ方向の被写体側の内周面には雌ネジ部２９がそれぞれ形成されている。第２レンズ群筒２０の雄ネジ部２８と第３レンズ群筒２１の雌ネジ部２９とが螺合することにより、第２レンズ群筒２０と第３レンズ群筒２１とが一体に締結されている。この第２レンズ群筒２０と第３レンズ群筒２１とで形成される内部空間Ｓ１は密閉状態となっており、この内部空間Ｓ１に絞りユニット２２、および絞りユニット駆動用モータ２４が配置されている。
【００２３】
本実施形態における内部空間Ｓ１には空気が存在しているが、内部空間Ｓ１を真空状態としてもよい。また、各レンズ群の光学特性に影響を与えない透明な液体を充填した構成としてもよい。この場合は、更に振動減衰性が高い液体であることが望ましい。
【００２４】
絞りユニット２２は、複数の絞り羽根２３を備え、所望の絞り値に応じて絞り羽根２３を駆動することにより、被写体光の通過領域を形成するものである。また、絞り羽根２３は、絞りユニット２２と隣接して配置された絞りユニット駆動用モータ２４により電動で駆動される構成となっている。なお、絞りユニット駆動用モータ２４に接続された配線については図示を省略する。
【００２５】
本実施形態では、光軸Ａに沿って絞りユニット２２の前後に第２レンズ群Ｌ２、第３レンズ群Ｌ３が配置された構成となっている。そして、第２レンズ群筒２０および第３レンズ群筒２１は、絞りユニット２２と、第２レンズ群Ｌ２および第３レンズ群Ｌ３とを収納する筒体として機能している。
【００２６】
また、第２レンズ群筒２０と第３レンズ群筒２１とで形成される内部空間Ｓ１において、絞りユニット２２の絞り羽根２３を駆動した際に発生する音（以下、作動音という）が外部に伝達される領域には、吸音部材３１〜３３が設けられている。作動音が外部に伝達される領域としては、例えば、第２レンズ群筒２０の雄ネジ部２８と第３レンズ群筒２１の雌ネジ部２９との螺合部分、第２レンズ群筒２０の光軸Ａ方向の被写体側の領域、第３レンズ群筒２１の光軸Ａ方向の撮影者側の領域、絞りユニット駆動用モータ２４と第３レンズ群筒２１との間（絞りユニット駆動用モータ２４の周囲）などが考えられる。本実施形態では、これらの領域にそれぞれ吸音部材３１〜３３を設けた構造としている。
【００２７】
吸音部材としては、例えば、スポンジ等の発泡材、グラスウール、多孔室材、ゲル材、植毛紙、或いはこれらの各部材と等価な機能を有する部材を用いることができる。また、吸音効果の代わりに音の反射防止効果を有する部材でもよいし、吸音効果と音の反射防止効果とを両方兼ね備えた部材であってもよい。
【００２８】
更に、吸音部材３１〜３３には、設置場所に係わらず同一の部材を用いてもよいし、設置場所に応じて異なる部材を用いるようにしてもよい。例えば、絞りユニット駆動用モータ２４は振動の振幅が大きいため、この周囲に設置する吸音部材３２としてはゲルシートを用い、その他の領域に設置する吸音部材３１、３３としては植毛紙を用いるというような使い方である。また、同一の場所に異なる部材を複数設置した構成としてもよい。
すなわち、絞りユニット駆動用モータ２４のように振動の振幅が大きい（発生音が大きい）箇所に設置する吸音部材は、絞りユニット駆動用モータ２４よりも発生音が小さい箇所に設置される吸音部材よりも吸音効果が大きいものが使用される。
【００２９】
以上、本実施形態１によると、以下の効果を有する。
（１）絞り羽根２３の作動音が外部へ伝達される領域に吸音部材３１〜３３を設置するようにしたので、発生した作動音は吸音部材３１〜３３に吸収されることになる。このため、絞り羽根２３の作動音が外部に漏れるのを防止することができる。
（２）内部空間Ｓ１を密閉状態とすることにより、吸音部材が設置されていない領域においても音が外部に伝わりにくくなるため、音漏れ防止の効果を高めることができる。
（３）内部空間Ｓ１に、各レンズ群の光学特性に影響を与えない透明な液体を充填することにより、密閉状態よりも更に音が外部に伝わりにくくなるため、音漏れ防止の効果をより高めることができる。
（４）内部空間Ｓ１を真空状態とすることにより、音を外部に伝達する媒体となる空気が存在しなくなるので、より完璧な音漏れ防止の効果を得ることができる。
（５）絞りユニット駆動用モータ２４と第３レンズ群筒２１との間に吸音部材３２を設置したので、絞り羽根２３の作動音だけでなく、絞りユニット駆動用モータ２４の駆動音が外部に漏れるのを防止することができる。
［実施形態２］
【００３０】
図５は、実施形態２のレンズ鏡筒を示す部分断面図である。
本実施形態２のレンズ鏡筒を備えたカメラは実施形態１（図１）と同じであるため説明を省略する。またレンズ鏡筒の基本的な構成も実施形態１（図２、図３）と同じであるため説明を省略する。ここでは、本実施形態２に特徴的な部分についてのみ説明する。なお、実施形態１と同等部分には同一符号を付して説明する。
【００３１】
図５に示すように、本実施形態の第２レンズ群筒４０、第３レンズ群筒４１は、円周方向の複数の箇所でビス２７により一体に組み付けられている（図５はそのうちの一箇所を示す）。また、第２レンズ群筒４０および第３レンズ群筒４１と、絞りユニット２２を間に挟んで第２レンズ群Ｌ２および第３レンズ群Ｌ３の対向するレンズ面により形成される内部空間Ｓ２は、第２レンズ群筒４０と第３レンズ群筒４１とを組み付けた状態では密閉されておらず、外部と連通する隙間が形成されている。
【００３２】
本実施形態２では、この隙間の部分に吸音部材３４を設置することにより、内部空間Ｓ２が吸音部材３４で密閉されるようにしている。また、絞りユニット駆動用モータ２４と第３レンズ群筒４１との間（絞りユニット駆動用モータ２４の周囲）にも吸音部材３５を設置している。
【００３３】
吸音部材３４、３５としては、実施形態１で説明した各種の材料を用いることができる。また、実施形態１と同様に、設置場所に係わらず同一の部材を用いてもよいし、設置場所に応じて異なる部材を用いるようにしてもよい。更に、同一の場所に異なる部材を複数設置した構成としてもよいことも実施形態１と同様である。
【００３４】
図６は、実施形態２の他の構成例を示す断面図である。図６に示す吸音部材３６は、部材の一部（以下、蛇腹部分３６ａという）が外径側に膨らむ蛇腹構造となっている。本構成において、内部空間Ｓ２に含まれる空気が膨張すると、図中破線で示すように、吸音部材３６の蛇腹部分３６ａが外径側に膨らむことによって、空気の膨張分が吸収されることになる。また、空気の膨張が収まると、吸音部材３６の蛇腹部分３６ａは再び元の位置に戻ることになる。
【００３５】
以上、本実施形態２によると、以下の効果を有する。
（１）内部空間Ｓ２を吸音部材３４で密閉するようにしたので、絞り羽根２３で発生した作動音は吸音部材３４に吸収されることになる。このため、絞り羽根２３の作動音が外部に漏れるのを防止することができる。
（２）絞りユニット駆動用モータ２４と第３レンズ群筒４１との間に吸音部材３５を設置したので、絞り羽根２３の作動音だけでなく、絞りユニット駆動用モータ２４の駆動音が外部に漏れるのを防止することができる。
（３）吸音部材３６に蛇腹構造を備えることにより、内部空間Ｓ２の空気が熱により膨張した場合でも、空気の膨張分はレンズ鏡筒内で吸収されることになる。このため、内圧の上昇によりレンズ内部に不具合が発生するのを未然に防止することができる。また、使用時の温度に影響されることなく、常に安定したレンズ性能を維持することが可能となる。
［変形形態］
【００３６】
以上説明した実施形態に限定されることなく、本発明は以下に示すような種々の変形や変更が可能であり、それらも本発明の範囲内である。
（１）本発明に係わるレンズ鏡筒、カメラの構成は、実施形態に記載したものに限らず、適宜変更が可能である。例えば、実施形態ではズームレンズを構成する複数のレンズ群の一部を密閉した例について示したが、ズーム機構を持たないレンズに適用してもよい。また、絞りユニットの前後に配置されたレンズは、複数のレンズをレンズ群として構成したものに限らず、単体レンズであってもよい。更に、密閉された内部空間には絞りユニットだけでなく、他の駆動部材が存在していてもよい。
（２）実施形態に示すレンズ鏡筒は、カメラ本体に着脱自在に装着される交換レンズ鏡筒であるが、レンズ鏡筒はこれに限らず、例えば、カメラ本体に一体に設けられたものであってもよい。
なお、実施形態１、２および変形形態は、適宜に組み合わせて用いることもできるが、詳細な説明は省略する。また、本発明は以上説明した各実施形態によって限定されることはない。
【図面の簡単な説明】
【００３７】
【図１】実施形態１のレンズ鏡筒を含むカメラシステムの概観斜視図である。
【図２】図１に示すレンズ鏡筒のワイド状態での断面図である。
【図３】図１に示すレンズ鏡筒のテレ状態での断面図である。
【図４】図１に示すレンズ鏡筒の部分断面図である。
【図５】実施形態２のレンズ鏡筒を示す部分断面図である。
【図６】実施形態２のレンズ鏡筒の他の構成例を示す断面図である。
【符号の説明】
【００３８】
１：カメラ、２：カメラ本体、１０：レンズ鏡筒、１１：第１レンズ群筒、１２：第１レンズ群移動筒、２０（４０）：第２レンズ群筒、２１（４１）：第３レンズ群筒、２２：絞りユニット、２３：絞り羽根、２４：絞りユニット駆動用モータ、３１〜３６：吸音部材
【図１】
2010049133.tif 000003
【図２】
2010049133.tif 000004
【図３】
2010049133.tif 000005
【図４】
2010049133.tif 000006
【図５】
2010049133.tif 000007
【図６】
2010049133.tif 000008